Podtech/llm-jp-corpus-v4-ja_patent huggingface dataset:
(57)【要約】【課題】  相手先ＦＡＸの電話番号を指定するだけで、ＶｏＩＰ網で必要な番号を使用してＦＡＸ送信することができるファクシミリ装置を提供する。【解決手段】  相手先ＦＡＸ電話番号とＶｏＩＰ網内の管理番号の対応テーブルを格納するメモリ手段３と、相手先ＦＡＸ電話番号を指定する指定手段２と、相手先ＦＡＸ電話番号に対応したＶｏＩＰ網内の管理番号を検索して、ＶｏＩＰ網内の管理番号を使用してＦＡＸ送信するよう制御する制御手段１と、ＦＡＸ送信する送信手段４とを備えたファクシミリ装置。【選択図】  図１
2006186669.tif 000002
【特許請求の範囲】
【請求項１】
相手先ＦＡＸ電話番号とＶｏＩＰ網内の管理番号の対応テーブルを格納するメモリ手段と、相手先ＦＡＸ電話番号を指定する指定手段と、相手先ＦＡＸ電話番号に対応したＶｏＩＰ網内の管理番号を検索して、該ＶｏＩＰ網内の管理番号を使用してＦＡＸ送信するよう制御する制御手段と、ＦＡＸ送信する送信手段とを備えたことを特徴とするファクシミリ装置。
【請求項２】
ファクシミリ装置とパソコンがネットワークを介して接続されるネットワークファクシミリシステムにおいて、相手先ＦＡＸ電話番号とＶｏＩＰ網内の管理番号の対応テーブルを備えたパソコンを有し、該パソコン上で電話番号を入力して送信指示をした場合、ドライバ上で電話番号からＶｏＩＰ内部の番号に変換して、前記ファクシミリ装置にデータを送り出すことを特徴とするネットワークファクシミリシステム。
【発明の詳細な説明】
【技術分野】
【０００１】
本発明は、ファクシミリ装置及びネットワークファクシミリシステムに関するものである。
【背景技術】
【０００２】
ＶｏＩＰＧＷで、公衆回線などのファクシミリ装置に番号を送る場合は、ＶｏＩＰＧＷ側で相手先の電話番号が対になったＶｏＩＰ内の番号か、ＶｏＩＰＧＷのＩＰアドレス＋相手先の電話番号、ＧａｔｅＫｅｅｐｅｒなどのＶｏＩＰ内で番号を管理するところから割当てられた番号を指定する必要があった。
【発明の開示】
【発明が解決しようとする課題】
【０００３】
ファクシミリ装置とＰＣ（パソコン）がネットワークを介して接続されるネットワークファクシミリシステムにおいて、ＶｏＩＰＧＷ経由でＧ３などにつながったファクシミリ装置にＦＡＸ送信を行う場合、ＰＣからドライバ経由でＦＡＸ送信指示を行う時などは、ＶｏＩＰＧＷのアドレスを意識することなく、本当に送る受信ＦＡＸ番号だけを指定したい。
本発明はこのような背景に鑑みてなされたものであり、相手先ＦＡＸの電話番号を指定するだけで、ＶｏＩＰ網で必要な番号を使用してＦＡＸ送信することができるファクシミリ装置及びネットワークファクシミリシステムを提供することを目的とする。
【課題を解決するための手段】
【０００４】
上記目的を達成するために、請求項１記載の発明は、相手先ＦＡＸ電話番号とＶｏＩＰ網内の管理番号の対応テーブルを格納するメモリ手段と、相手先ＦＡＸ電話番号を指定する指定手段と、相手先ＦＡＸ電話番号に対応したＶｏＩＰ網内の管理番号を検索して、該ＶｏＩＰ網内の管理番号を使用してＦＡＸ送信するよう制御する制御手段と、ＦＡＸ送信する送信手段とを備えたファクシミリ装置を最も主要な特徴とする。
請求項２記載の発明は、ファクシミリ装置とパソコンがネットワークを介して接続されるネットワークファクシミリシステムにおいて、相手先ＦＡＸ電話番号とＶｏＩＰ網内の管理番号の対応テーブルを備えたパソコンを有し、該パソコン上で電話番号を入力して送信指示をした場合、ドライバ上で電話番号からＶｏＩＰ内部の番号に変換して、前記ファクシミリ装置にデータを送り出すことを特徴とする。
【発明の効果】
【０００５】
本発明によれば、相手先ＦＡＸ電話番号とＶｏＩＰ網内の管理番号の対応テーブルを格納するメモリ手段と、相手先ＦＡＸ電話番号を指定する指定手段と、相手先ＦＡＸ電話番号に対応したＶｏＩＰ網内の管理番号を検索して、ＶｏＩＰ網内の管理番号を使用してＦＡＸ送信するよう制御する制御手段と、ＦＡＸ送信する送信手段とを備えたことで、相手先ＦＡＸの電話番号を指定するだけで、ＶｏＩＰ網で必要な番号を使用してＦＡＸ送信することができる。
【発明を実施するための最良の形態】
【０００６】
以下、図面を参照して、本発明の実施形態を詳細に説明する。
図１は本発明の実施形態に係るファクシミリ装置の機能ブロック図である。本ファクシミリ装置は、制御手段１を中心に、指定手段２、メモリ手段３、送信手段４を備える。
メモリ手段３には、送信相手先ＦＡＸ電話番号とＶｏＩＰ内で使用する番号（ＶｏＩＰＧＷのＩＰアドレス＋相手先電話番号の時もあれば、ＧａｔｅＫｅｅｐｅｒなどの番号管理から割り振られた番号の場合もある）を対応づけるテーブル（図２参照）を有する。
ユーザーは、相手先ＦＡＸの電話番号を指定手段２で指定すると、制御手段１が、対応テーブルから、ＶｏＩＰ網で必要な番号を探し出して、これを使用して、送信手段４からＦＡＸ送信する。
いままで電話番号を登録したワンタッチなどのアドレス帳をＶｏＩＰ網に入れた後で、対応テーブルに追加するだけで済み、アドレス帳の変更をしないでよい。
【０００７】
図３は本発明の実施形態に係るファクシミリ装置のフローチャートである。ユーザーが指定した電話番号が、対応テーブルに登録されているかチェックして（Ｓ１）登録されていれば（Ｓ２でＹ））、そこからＶｏＩＰ網内で使用する番号に置き換えて（Ｓ３）、後は、通常のＶｏＩＰでのＦＡＸ送信に移行する（Ｓ４）。対応テーブルに登録されていなければ（Ｓ２でＮ）、ＦＡＸ送信ＮＧの処理へ移行する（Ｓ５）。
図４は本発明の実施形態に係るネットワークファクシミリシステムの構成図である。本ネットワークファクシミリシステムは、ファクシミリ装置１１とＰＣ（パソコン）１２がネットワーク（あるいはプリンタケーブル）１３を介して接続されることで構成されている。
本ネットワークファクシミリシステムは、図２に示す対応テーブルをＰＣ１２上に有する。ＰＣ１２上のファイルをネットワーク１３経由でファクシミリ装置１１に送り、ファクシミリ１１装置から送信するが、ＰＣ１２上で電話番号を入れて送信指示をした場合、ドライバ上で、電話番号からＶｏＩＰ内部の番号に変換して、ファクシミリ装置１１にデータを送り出す。
【図面の簡単な説明】
【０００８】
【図１】本発明の実施形態に係るファクシミリ装置の機能ブロック図である。
【図２】相手先ＦＡＸ電話番号とＶｏＩＰ網内の管理番号の対応テーブルである。
【図３】本発明の実施形態に係るファクシミリ装置のフローチャートである。
【図４】本発明の実施形態に係るネットワークファクシミリシステムの構成図である。
【符号の説明】
【０００９】
１  制御手段
２  指定手段
３  メモリ手段
４  送信手段
【図１】
2006186669.tif 000003
【図２】
2006186669.tif 000004
【図３】
2006186669.tif 000005
【図４】
2006186669.tif 000006
(57)【要約】【課題】身動きの出来ない、あるいは不自由な患者においても、寝たままで、すなわち身動きをせずに看護師等と通話が出来るようにするナースコールシステムの通話装置の提供を課題とする。【解決手段】身動きの出来ない、あるいは不自由な患者が使用する枕と、その枕の中に充填材と骨伝動スピーカと骨伝動マイクロホンを収める。  骨伝動スピーカと骨伝動マイクロホンは身動きの出来ない、あるいは不自由な患者の身体に接するように枕内に配し通話可能にする。【選択図】図２
2006186499.tif 000002
【特許請求の範囲】
【請求項１】
骨伝動マイクロホンと骨伝動スピーカを枕に内包したことを特徴とするナースコールシステムの通話装置。
【発明の詳細な説明】
【技術分野】
【０００１】
本発明は患者が使用するナースコールシステムの通話装置に関する。
【背景技術】
【０００２】
ナースコールシステムは患者が看護師を呼出す為に用いられるが、単に呼び出しを行うだけでなく、看護師と通話可能になされている場合がある。この場合、患者が用いる通話装置にはスピーカとマイクロホンが組み込まれている。この通話装置は患者が手に持ち使用するようになっている。
【特許文献１】特開平09-261354
【発明の開示】
【発明が解決しようとする課題】
【０００３】
ところで、患者によっては重症等で身動きが出来ない、あるいは手が不自由である場合がある。  従来の通話装置は手に持ち操作するようになっているので上記のような患者には使用が困難であった。そこで、このような患者にとっても使用可能な通話装置を提供することを課題とする。    
【課題を解決するための手段】
【０００４】
骨伝動マイクロホンと骨伝動スピーカを枕に内包し通話装置とする。
【発明の効果】
【０００５】
枕に骨伝動マイクロホンと骨伝動スピーカを内包し通話装置としたので、寝たまま、すなわち身動きせずに通話を行える。  
【発明を実施するための最良の形態】
【０００６】
本発明に係るナースコールシステムは少なくとも、親機、伝送路、子機からなる。  図１のように、伝送路中に、制御機、廊下灯などが用いられることもある。        
【０００７】
本発明に関する通話装置の構成を図２に示す。枕に骨伝動マイクロホンと骨伝動スピーカを内包している。患者の音声は、患者の身体の振動として骨伝動マイクロホンで検出して送られる。親機から送られてくる音声は骨伝動スピーカの伝動体を振動させる。患者は伝動体を額など体の一部に当て音声を聞くことができる。    
【図面の簡単な説明】
【０００８】
【図１】・・・本発明に係るナースコールシステム一例
【図２】・・・本発明に係るナースコールシステムの通話装置の構成例
【図３】・・・従来のナースコールシステムの子機
【図１】
2006186499.tif 000003
【図２】
2006186499.tif 000004
【図３】
2006186499.tif 000005
(57)【要約】【課題】比抵抗を上昇させることなく、耐電圧の向上を図ることのできるアルミニウム電解コンデンサの駆動用電解液を提供すること。【解決手段】アルミニウム電解コンデンサの駆動用電解液において、エチレングリコールを主溶媒とし、高級二塩基酸またはその塩と、ホウ酸またはそのアンモニウム塩と、以下の化学式で示されるグリオキサルトリメリックジヒドレートとを配合する。グリオキサルトリメリックジヒドレートの配合量は、０．５〜１．５ｗｔ％であることが好ましい。【化１】2006186206.tif 000005【選択図】なし【特許請求の範囲】
【請求項１】
エチレングリコールを主溶媒とし、少なくとも、高級二塩基酸またはその塩と、ホウ酸またはそのアンモニウム塩と、以下の化学式で示されるグリオキサルトリメリックジヒドレートとを配合したことを特徴とするアルミニウム電解コンデンサの駆動用電解液。
【化１】
2006186206.tif 000004
【請求項２】
請求項１において、グリオキサルトリメリックジヒドレートの配合量が、電解液全体に対して０．５〜１．５ｗｔ％であることを特徴とするアルミニウム電解コンデンサの駆動用電解液。
【発明の詳細な説明】
【技術分野】
【０００１】
本発明は、アルミニウム電解コンデンサの駆動用電解液（以下、電解液と称す）に関するものであり、特に耐電圧を改善した電解液に関するものである。
【背景技術】
【０００２】
従来、中高圧用アルミニウム電解コンデンサの電解液として、エチレングリコールを主溶媒とし、カルボン酸またはそのアンモニウム塩と、ホウ酸またはそのアンモニウム塩とを溶解し、さらに、マンニトール、ソルビトール等の多価アルコールを添加して電解液の耐電圧を上昇させたものが提案されている（例えば、特許文献１〜３参照）。
【特許文献１】特公平７−４８４５９号公報（第１−４頁）
【特許文献２】特公平７−４８４６０号公報（第１−３頁）
【特許文献３】特公平７−６３０４７号公報（第１−４頁）
【発明の開示】
【発明が解決しようとする課題】
【０００３】
しかしながら、マンニトール、ソルビトール等の多価アルコールは、添加量に対する耐電圧の向上が緩慢であるため、多量に添加しなければならず、その結果、高級二塩基酸やホウ酸とエステル化反応を起こし、比抵抗が著しく上昇するという問題点がある。
【０００４】
以上の問題点に鑑みて、本発明の課題は、比抵抗を上昇させることなく、耐電圧の向上を図ることのできるアルミニウム電解コンデンサの駆動用電解液を提供することにある。
【課題を解決するための手段】
【０００５】
本発明は上記課題を解決するために、多価アルコールと比較してグリオキサルトリメリックジヒドレートとホウ酸のエステルが効率よく箔表面に皮膜を形成することに着目し、その特性を電解液に適応させることにより課題の解決を図ったものである。
【０００６】
すなわち、本発明では、アルミニウム電解コンデンサの駆動用電解液において、エチレングリコールを主溶媒とし、少なくとも、高級二塩基酸またはその塩と、ホウ酸またはそのアンモニウム塩と、以下の化学式で示されるグリオキサルトリメリックジヒドレートとを配合したことを特徴とする。
【０００７】
【化１】
2006186206.tif 000002
【０００８】
本発明において、上記グリオキサルトリメリックジヒドレートの配合量は、電解液全体に対して０．５〜１．５ｗｔ％であることが好ましい。配合量が０．５ｗｔ％未満では耐電圧の向上が十分でなく、１．５ｗｔ％を超えると比抵抗が増大する傾向にある。
【０００９】
本発明において、高級二塩基酸としては、アゼライン酸、セバシン酸、安息香酸、１，６−デカンジカルボン酸、５，６−デカンジカルボン酸、７−ビニルヘキサデセン−１，１６−ジカルボン酸等を挙げることができる。
【００１０】
また、高級二塩基酸の塩としては、メチルアミン、エチルアミン、ｔ−ブチルアミン等の一級アミン塩、ジメチルアミン、エチルメチルアミン、ジエチルアミン等の二級アミン塩、トリメチルアミン、ジエチルメチルアミン、エチルジメチルアミン、トリエチルアミン等の三級アミン塩、テトラメチルアンモニウム、トリエチルメチルアンモニウム、テトラエチルアンモニウム等の四級アンモニウム塩、アンモニウム塩等を挙げることができる。
【発明の効果】
【００１１】
本発明では、電解液にグリオキサルトリメリックジヒドレートを添加したので、電解液の比抵抗の上昇を抑制しながら、耐電圧の向上を図ることができる。
【発明を実施するための最良の形態】
【００１２】
本発明に係るアルミニウム電解コンデンサの駆動用電解液は、エチレングリコールを主溶媒とし、少なくとも、高級二塩基酸またはその塩と、ホウ酸またはそのアンモニウム塩と、グリオキサルトリメリックジヒドレートとを配合したものであり、後述するように、電解液の比抵抗の上昇を抑制しながら、耐電圧の向上を図ることができる。ここで、グリオキサルトリメリックジヒドレートの配合量は、電解液全体に対して０．５〜１．５ｗｔ％であることが好ましい。
【００１３】
本発明の電解液において、グリオキサルトリメリックジヒドレートの少量の添加で耐電圧を向上することができる理由としては、グリオキサルトリメリックジヒドレートと、高級二塩基酸またはホウ酸とのエステル化反応による生成物が、効率よく箔表面に皮膜を形成するためと考えられる。また、少量の添加で耐電圧を向上することができるので、電解液の比抵抗上昇を抑制することができる。
【実施例】
【００１４】
以下、実施例に基づいて、本発明に係る電解液をより具体的に説明する。まず、表１に示す組成で電解液を調合した後、３０℃における比抵抗および８５℃における火花発生電圧（電解液の耐電圧）を測定した。その測定結果を表１に示す。
【００１５】
【表１】
2006186206.tif 000003
【００１６】
表１から分かるように、マンニトールを添加した従来例１、２と比較して、本発明の実施例１〜７に係る電解液は、比抵抗上昇を抑制しながら、耐電圧の向上が図れていることが分かる。
ここで、グリオキサルトリメリックジヒドレートの添加量は、０．５ｗｔ％未満では耐電圧の向上が十分ではなく、また、１．５ｗｔ％を超えると、比抵抗上昇が大きい傾向にあり、低比抵抗用途に不向きとなる。よって、グリオキサルトリメリックジヒドレートの配合量は、電解液全体に対して０．５〜１．５ｗｔ％であることが好ましい。
【００１７】
なお、本発明は上記実施例に限定されるものではなく、先に例示した各種溶質を単独または複数配合した電解液や、上述副溶媒を混合した電解液でも上記実施例と同等の効果があった。
(57)【要約】【課題】      各種アダプタレンズを撮影レンズに直接取り付けられるレンズ枠を持たない撮像機に於けるアダプタ−レンズの付加撮影方式。【解決手段】  撮像機を固定する為の３脚ネジを利用し円柱座標方式を用いる事で調整機構をアダプタレンズ保持リング支持棒と支持棒ガイド。支持棒ガイドと３脚ネジの間隔の２ヶ所とし、支持棒が支持台ガイドに沿って撮像レンズの光軸との高さを調整し且つ回転によってアダプタレンズと撮像機器の基本レンズの光軸を一致させる機構を持ち、アダプタ−レンズ本体を保持リングからの着脱に変えて３脚ネジを中心とする回転で着脱を行なう撮像機用アダプタ−レンズ取り付け装置。【選択図】    図１
2006171373.tif 000002
【特許請求の範囲】
【請求項１】
デジタルカメラ等の撮像機器に於いて接写レンズ等のアダプタ−レンズを用いる時、カメラ本体に設けてあるカメラを固定する三脚用ネジを利用し、取り付けネジと支持台、アダプタ−保持リングとリングを支える支持棒を組み合わせ３脚ネジ又は支持棒の支持点を原点とする円柱座標方式で機構を構成する撮像機用アダプタ−レンズ取り付け装置。
【請求項２】
請求項１に於いて当該３脚ネジと支持台、及びカメラとの間それぞれに締め代を持つ減摩擦性のリングを３脚ネジの抜け止めと兼用することでアダプタ−レンズの着脱と同等の効果をもたらす３脚ネジを中心とする回転を容易に行なう撮像機用アダプタ−レンズ取り付け装置。
【発明の詳細な説明】
【技術分野】
【０００１】
本発明は光学機器分野の補助器具に属する
【背景技術】
【０００２】
従来に於けるアダプタ−レンズの取り付けは専ら撮像レンズの外径若しくはレンズに設けられたフィルタ−ネジを用いる方式であった、近来デジタルカメラの隆興は目覚ましいものであるが設計上の理由に依ってか撮像レンズがカメラ本体より突出部の無い又はフィルタ−ネジの無い撮像レンズを持つ機種が現われ、本発明は斯かる機種にもアダプタレンズを使用可能とする手段を提供する。
【特許文献１】特願２００４−０６４７３５
【非特許文献１】ＪＩＳＢ7103,ＪＩＳＢ7111,ＪＩＳＢ7112,
【発明の開示】
【発明が解決しようとする課題】
【０００３】
課題の一は如何にしてカメラの撮像レンズとアダプタ−レンズの光軸を一致させるかで有り、次いではその一致を固定する手段で有ると言える。
市販品のアダプタ−レンズ類は様々な形態を持ち、それぞれに対応可能な形態とする必要がある。
【課題を解決するための手段】
【０００４】
撮像カメラのレンズとアダプタ−レンズの位置関係を固定する手段としてはカメラ本体に設けて在る３脚ネジを用いることでカメラ側に新たな装置を要せずにすませられる。次いで撮像レンズ位置と３脚ネジ位置はカメラに依って異なり此処はカメラに３脚ネジを中心として回転可能な支持台に長溝を設けこの溝に沿ってアダプタ−ホルダ−が移動可能となる様にする事でカメラの３脚ネジ位置と離れた光軸の位置関係を合致させることが出来る。次いで此の支持台に垂直移動が可能且つ此の垂直軸を回転軸とする断面が円形の軸を通し此の軸の先端にアダプタ−レンズを保持する保持具を固定する。
【０００５】
此れを通常用いられる直交座標式を用いれば各座標軸毎に変化する３調整軸を持つ必要が有り円柱座標を用いるより調整軸が増す結果となる。
斯して３脚ネジを原点とする円柱座標で撮影レンズ光軸との座標を機構的にｒ、ｙの２つの長さ調整で決定出来、機構を簡略化出来る。
現在フィルタ−類多くはネジ式枠に組み込んでありネジ式と被せ枠に対応する事で殆どのアダプタ−レンズを使用可能とできる。
【０００６】
更に３脚ネジと支持台の間に高さは僅かに支持台厚を越え、径は支持台の３脚用溝より僅かに小さく、３脚ネジをカメラに取り付け締めた時に支持台厚を越える分が締め代となり潰れて支持台溝に依って膨れが制限される状態になる事で固定される減摩擦性リングを挿入する事で光軸合わせ位置での固定と３脚ネジを中心とする回転とに依るアダプタ−レンズ脱着効果が持てる。
【発明の効果】
【０００７】
撮像レンズに変倍率の高いレンズを用いてる高級機種に於いては殆どフィルタ−ネジが加工して有るが、普及型の固定焦点式、低変倍率の撮像レンズにはフィル−タネジのみ成らず突出した外径部すら持たない機種も有り、かかる機種では接写様レンズ、フィルタ−等は使用できないが、本発明に依ってフィルタ−ネジを有する機種と同様に接写、変倍もアダプタ−レンズに依って可能となる
【発明を実施するための最良の形態】
【０００８】
３脚ネジ取り付け面を基準面とし此に直角に上下可能且つ回転し得る丸棒を設け丸棒の先端にアダプタレンズを取り付け得る保持台を固定する事で円柱座標方式の支持機構を簡単且つ確実に構成し得る。更にアダプタ−レンズの着脱を容易とする手段として３脚ネジと支持台のガイド溝の間にリングを介在させ此のリングを３脚ネジの抜け止めと支持台の回転を容易ならしめる機能を持たせる。
【実施例１】
【０００９】
図１に於いて支持台１−２の一端にはアダプタ−レンズ台の上下を支持する棒を保持するためのガイド１−３を固定し、３脚ネジを持つ１−１は支持台１−２の長溝を移動可能に取り付け、アダプタ−レンズ台との間隔を調整可能として有る。  アダプタレンズ台は最小２５ｍｍの被せ式枠保持に始まりＪＩＳ規格に依るそれぞれの基準を満たす被せ枠と枠の保持台１−５を支持棒１−４と組み合わせてガイド１−３に差込み高さを調整し固定ネジ１−６に依って光軸合わせを行ない固定する。１−７は３脚ネジの抜け止めと回転を容易とするリングを示す。
【実施例２】
【００１０】
図２に於いては３脚ネジ位置を固定し、支持棒ガイドを移動する方式であり機構はやゝ複雑に成るが剛性度が増す利点が有る。
【実施例３】
【００１１】
図３に於いては３脚ネジ位置と支持棒ガイドは其の距離を変えるが同一座標軸上に有り支持棒が此の座標軸に対して傾き且つ距離を変えることで撮像レンズの光軸とアダプタ−レンズの光軸を一致させ保持する方式を示す。
【産業上の利用可能性】
【００１２】
従来のフィルム撮像方式のカメラに於いては其の殆どのレンズにフィルタ−取り付けネジが有り、アダプタ−レンズを取り付けるに不自由は無かったが近来のデジタルカメラにに於いては小型軽量化を求めてか撮像レンズに取り付けネジの類は無く且つ被せ枠用の取り付けも不可能な形態が多い。本発明は斯かる機種に対して撮像上の種々な技巧を用いる事を可とする方式である。
【図面の簡単な説明】
【００１３】
【図１】アダプタ−保持台を支持台に固定し３脚ネジを移動させる例を示す。
【図２】３脚ネジ位置を固定し、アダプタ−保持台を移動させる例を示す。
【図３】座標原点を支持棒ガイドに定めた例を示す。
【図１】
2006171373.tif 000003
【図２】
2006171373.tif 000004
【図３】
2006171373.tif 000005
(57)【要約】【課題】  電子タグを管理対象物に取付ける取付具を用いて管理対象物を分解できるようにする。【解決手段】  蒸気トラップ１を識別するための識別情報が記憶された電子タグ２が取付けられるタグ取付部３ｂと蒸気トラップ１に取付けられる対象物取付部３ａとを有する電子タグ２の蒸気トラップ１への取付具３であって、取付具３の対象物取付部３ａが蒸気トラップ１の本体５と蓋体６から成るケーシングを締結するねじ部材としてのボルト８の頭部に嵌り合って取付けられボルト８を回転せしめる形状の内周壁面３ｃを有する。【選択図】      図１
2006171345.tif 000002
【特許請求の範囲】
【請求項１】
管理対象物を識別するための識別情報が記憶された電子タグが取付けられるタグ取付部と管理対象物に取付けられる対象物取付部とを有する電子タグの管理対象物への取付具であって、取付具の対象物取付部が管理対象物のケーシングを締結するねじ部材あるいはケーシングに固定されるねじ部材の頭部に嵌り合って取付けられねじ部材を回転せしめる形状の内周壁面を有することを特徴とする電子タグの管理対象物への取付具。
【発明の詳細な説明】
【技術分野】
【０００１】
本発明は、管理対象物を識別するための識別情報が記憶された電子タグを管理対象物に取付ける取付具に関する。電子タグは、例えば蒸気配管に設置されるバルブやトラップ、あるいは蒸気プラントの設備機器等の管理対象物を保守・点検するときに管理対象物を識別するために用いられる。
【背景技術】
【０００２】
従来の電子タグの管理対象物への取付構造は、管理対象物を識別するための識別情報が記憶された電子タグを、取付具としての針金で管理対象物に吊り下げたものである。
【０００３】
上記従来のものは、管理対象物を識別するための識別情報が得られるだけであり、管理対象物を修理や保守のために分解するときは、スパナ等の工具を管理対象物のケーシングを締結するねじ部材あるいはケーシングに固定されるねじ部材の頭部の角部に当ててねじ部材を回していた。そのため、スパナ等の工具を持ち歩かなければならない問題点があった。
【特許文献１】特開２００３−８３８４９
【発明の開示】
【発明が解決しようとする課題】
【０００４】
解決しようとする課題は、電子タグを管理対象物に取付ける取付具を用いて管理対象物を分解できるようにすることである。
【課題を解決するための手段】
【０００５】
本発明は、管理対象物を識別するための識別情報が記憶された電子タグが取付けられるタグ取付部と管理対象物に取付けられる対象物取付部とを有する電子タグの管理対象物への取付具であって、取付具の対象物取付部が管理対象物のケーシングを締結するねじ部材あるいはケーシングに固定されるねじ部材の頭部に嵌り合って取付けられねじ部材を回転せしめる形状の内周壁面を有することを特徴とする電子タグの管理対象物への取付具にある。
【発明の効果】
【０００６】
本発明は、電子タグの管理対象物への取付具が管理対象物のケーシングを締結するねじ部材あるいはケーシングに固定されるねじ部材を回転せしめる工具を兼ねることができ、即座に調節ねじを回転せしめて管理対象物を分解することができるという優れた効果を生じる。
【発明を実施するための最良の形態】
【０００７】
本発明の電子タグの管理対象物への取付具は、通常は管理対象物のケーシングを締結するねじ部材あるいはケーシングに固定されるねじ部材の頭部に嵌り合って取付けられている。そして、管理対象物を分解するときは、取付具を回転させることによりねじ部材を回転せしめる。ねじ部材は一般に六角形の頭部が用いられるから、取付具の内周壁面は六角形に形成する。ねじ部材の頭部が四角形や八角形等の六角形以外の場合は、それに合った形状に内周壁面を形成する。
【実施例１】
【０００８】
上記の技術的手段の具体例を示す実施例を説明する（図１と図２参照）。図１は管理対象物としての蒸気トラップ１に電子タグ２を取付具３により取付けた状態を示す正面図であり、図２は図１の電子タグ２及び取付具３の平面図である。蒸気トラップ１は入口と出口４を有する本体５と蓋体６とでケーシングを形成し、本体５の四角状のフランジ部７と四角状のフランジから成る蓋体６をねじ部材としてのボルト８で締結し、本体５にねじ部材としてのプラグ９をねじ固定したものである。
【０００９】
本体５と蓋体６を締結するねじ部材としてのボルト８の頭部に取付具３が取付けられる。取付具３は本体５にねじ固定されるプラグ９の頭部に取付けてもよい。取付具３は一部（左部）側に対象物取付部３ａを有し、他部（右部）側にタグ取付部３ｂを有する。対象物取付部３ａはボルト８やプラグ９の頭部に嵌り合って取付けられ、分解するときにこれられを回転せしめる形状の内周壁面３ｃを有する。タグ取付部３ｂの蒸気トラップ１とは反対（上面）側に座金１０を介して電子タグ２を小ねじ１１で固定する。電子タグ２はＲＦＩＤ（無線周波数識別）技術を用いたもので、アンテナ素子に蒸気トラップ１の識別情報を記憶した回路素子を電気的に接続したものである。取付具３はタグ取付部３ｂが蒸気トラップ１から離れる方向に向けられて対象物取付部３ａの内周壁面３ｃが蒸気トラップ１のボルト８の頭部嵌り合って取付けられている。
【００１０】
電子タグ２に記憶された蒸気トラップ１の識別情報は無線により非接触で図示しないタグ読取装置に伝達される。取付具３は、通常は蒸気トラップ１のボルト８の頭部に嵌り合って取付けられている。そして、蒸気トラップ１の本体５と蓋体６を分解するときは、取付具３を回転させることによりボルト８を回転せしめる。取付具３がボルト８を回転せしめる工具を兼ねることができ、即座にボルト８を回転せしめて蒸気トラップ１を分解することができる。
【図面の簡単な説明】
【００１１】
【図１】本発明の実施例である取付具により電子タグを蒸気トラップに取付けた状態を示す正面図。
【図２】図１の電子タグ及び取付具の平面図。
【符号の説明】
【００１２】
１  蒸気トラップ
２  電子タグ
３  取付具
３ａ  取付具の対象物取付部
３ｂ  取付具のタグ取付部
３ｃ  取付具の対象物取付部の内周壁面
５  本体
６  蓋体
８  ボルト
９  プラグ
【図１】
2006171345.tif 000003
【図２】
2006171345.tif 000004
(57)【要約】【課題】  従来、音符と歌詞は別の位置に表記されていた。音符と歌詞を交互に見て唄うため難しい作業であった。またカラオケ等歌詞だけの場合、この音は短いのか延ばすのか、次の音は上げるのか下げるのか、忘れてしまって唄えないことも多かった。この発明は、これらの問題を解決することを課題とする。【解決手段】  文字の上下位置で音の高低を、文字の間隔で長さを示すように表記する。あまり厳密でなくても効果は充分ある。この文字表記に五線やコブシ、休止記号等を付けても良い。漢字の多くはかなや横線（延ばし）等の表記になるので従来の漢字入り歌詞を下に併記しても良い。【選択図】なし【特許請求の範囲】
【請求項１】
文字の上下位置で音の高低を、文字の間隔で長さを表わす歌詞の表記法。
【発明の詳細な説明】
【技術分野】
【０００１】
この発明は、歌を唄うための歌詞の表記法に関するものである。
【背景技術】
【０００２】
従来、音符と歌詞は別の位置に表記されていた。
【発明の開示】
【発明が解決しようとする課題】
【０００３】
従来、音符と歌詞は別の位置に表記されていた。音符と歌詞を交互に見て唄うため難しい作業であった。またカラオケ等歌詞だけの場合、この音は短いのか延ばすのか、次の音は上げるのか下げるのか、忘れてしまって唄えないことも多かった。この発明は、これらの問題を解決することを課題とする。
【課題を解決するための手段】
【０００４】
以上の課題を解決するために、文字の上下位置で音の高低を、文字の間隔で長さを示すように表記する。
【発明の効果】
【０００５】
この発明によれば、文字がメロディをも表わすので歌を覚えるときや唄うときに便利である。なかば忘れた歌もこの表記を見れば楽々唄うことができる。
【発明を実施するための最良の形態】
【０００６】
文字の上下位置で音の高低を、文字の間隔で長さを示すように表記する。この文字表記に五線やコブシ記号等を付けても良い。漢字の多くはかなや母音や横線（延ばし）等の表記になるので、従来の漢字入りの歌詞を下に併記しても良い。
「実施形態の効果」
文字がメロディをも表わすので歌を覚えるときや唄うときに便利である。なかば忘れた歌もこの表記を見れば楽々唄うことができる。
(57)【要約】      （修正有）【課題】座席等に着座する時の姿勢の不安定さにより、疲労、腰痛等が発生する、それを軽減し、椅子等に着座した時の姿勢、腰痛等に効果の有る健康マットを提供する。【解決手段】座席等の人が尻を乗せる着座面上に、置くマット１の着座面に、横方向に二ヶ所の半円形凸部２、３を設けたマット１と、マット１の後部から立ち上がった状態で取り付けられ、上下に異動、取り外しが可能で、中央部付近から両サイドに向かって山状に隆起した凸部を設けた着座者の腰を後ろから支える腰サポートクッションを備える。【選択図】図１
2006167320.tif 000002
【特許請求の範囲】
【請求項１】
座席等の人が尻を乗せる着座面上に、置くマットの着座面に、横方向に二ヶ所の半円形凸部を設けた事を特徴としたマットと、前記マットの後部から立ち上がった状態で取り付けられ、着座者の腰を後ろから支える、腰サポートクッションを備える健康マット。
【請求項２】
腰サポートクッションには、丸みのある凸部を横方向に設け、その凸部は上下に異動、取り外しが可能で、中央部付近から両サイドに向かって山状に隆起した形状を有する健康マット。
【請求項３】
着座面前方に、両足大腿部を乗せる丸みのある緩やかな凹部を設けた、請求項１記載の健康マット。
【請求項４】
腰サポートクッションとマットの後部とを着脱可能に接続する為の手段を備える、請求項１〜３のいずれかに記載の健康マット。
【請求項５】
前記着脱可能に接続する手段は、マット二ヶ所に設けた凸部より後方に取り付ける事の出来る凹部を含む、請求項１〜４のいずれかに記載の健康マット。
【請求項６】
椅子、座椅子等の最初から固定された着座面、背もたれ面に、直接請求項１〜５のいずれかに記載の形状を有する健康マット。
【発明の詳細な説明】
【技術分野】
【０００１】
本発明は、椅子、自動車の座席等に設置し、健康マットに座る事で骨盤を凸部と凸部の間に収め、着座者が安定した姿勢を保ち、又、腰をサポートする事によって、腰痛、猫背等を予防、軽減する事の出来る健康マットに関するものである。
【背景技術】
【０００２】
一般的に、椅子、自動車座席等の、着座面の形状は類似し、着座者の姿勢、腰痛予防等を重視した座席はなく、又、簡単には持ち運びが出来なかった。一方、本発明の健康マットはどこにでも配置可能、どこにでも持ち運びが可能で、マットに着座するだけで、骨盤を少しの強制的要素で安定した姿勢に保ち、腰痛等を予防、和らげる、又、腰サポートクッションは、腰痛などの部分に凸部を押し当てる事により、痛み等を和らげる事が可能で、痛みのある場所によっては凸部を上下に移動する事で対処する、このような健康マットは今までにはなかった。
【０００３】
【特許文献１】特開２００４−２２３０５５
【発明の開示】
【発明が解決しようとする課題】
【０００４】
この発明の主たる目的は、座席に着座する人の疲労を軽減し、椅子等に着座した時の姿勢、腰痛等に効果の有る健康マットを提供する事が課題です。
【課題を解決するための手段】
【０００５】
前記目的を達成する為の本発明の健康マットは、座席等の人が尻を乗せる着座面上に、置くマットの着座面に、横方向に二ヶ所の半円形凸部を設けたマットと、前記マットの後部から立ち上がった状態で取り付けられ、着座者の腰を後ろから支える腰サポートクッションを備える事で、上記課題は解決する。
【発明の効果】
【０００６】
本発明により、人間の体の中で最も大事な部位である骨盤を、マット上に設けられた凸部と凸部の間に収める事により、少しの強制力をかける事になり、姿勢を良くし、腰痛予防等にも効果が有る、又、腰サポートクッションに設けた上下に移動可能な凸部により、背骨を外しながら腰痛部分に凸部を合わせる事で、指圧的な効果が期待出来る。
【発明を実施するための最良の形態】
【０００７】
着座面上の後方凸部は、前方凸部より大きい事が望ましい、例えば後方凸部は高さ２センチ位の半円形凸部を横方向に設けると、前方凸部は高さ１センチ位の半円形凸部を横方向に設ける、その間に着座することにより、骨盤を凸部と凸部にて支えあい安定した姿勢に保てる。配置場所については、椅子、自動車等の人が座る場所が望ましい。
【０００８】
腰サポート部に付いては、腰痛部を直接支える為の物を設ける事で、腰痛の緩和に役立つ、望ましい形状は、背骨を外す形で両わき腹に向かって山状に凸部を形成する、腰痛部は、人によっても、その日によっても違う事がある、その為に設けられた凸部は上下に移動する事が求められる、山状凸部の高さに付いては中心付近を０とした場合、両サイド最高部の高さは３センチ位が望ましい。使用方法については、マットに取り付ける事、又、単体で使用の場合、畳、ベッド等の人が横になる場所で、凸部を腰痛部に押し当てるようにする事が望ましい。
【０００９】
上記マット及びクッションは、配置場所、使用目的によっては単体でも使用が可能で、それぞれに効果が期待出来る、又、両方を効果的に使用する事によって、姿勢、腰痛予防等に最適である。
【００１０】
上記マット及びクッション両方を使用する場合、マット後部に形成した凹部にクッション本体下部をはめ込む形で取り付けて使用する、取り付け角度はマットを水平とするとクッションの角度は９０度より８５度等、小さい角度の方が効果は期待できる。
【００１１】
本発明を図１〜図３によって説明する。図１は着座面上に凸部を設けたマット本体図、図２は腰サポートクッションに上下移動可能凸部を取り付けた本体図、図３はマットと腰サポートクッションを組み立てた時の健康マット図。
【００１２】
図１の、１はマット本体、２はマット後方の骨盤後部固定凸部、３はマット前方の骨盤前部固定凸部、４は両足大腿部を乗せる為の緩やかな凹部、５は腰サポートクッションを取り付ける為の参考凹部である。
【００１３】
使用方法は、２と３の間に骨盤を収める形で着座する事で、骨盤が垂直に近くなる為、着座姿勢が楽になり、姿勢が良くなる事で、腰痛等を予防する効果が期待出来る。
【実施例１】
【００１４】
図２の、６は腰サポートクッションの本体、７は腰サポートクッションに取り付けた、中央から両サイドに向かって山状に隆起している凸部、８は腰サポートクッションに取り付けた凸部を上下に移動する為の溝である。
【００１５】
腰サポートクッションは、単体でも使用が可能で、例えば、ソファ等に座る場合、腰痛のある部分に凸部を押し当てて座る、又、床、ベッド等に横になる場合などにも、腰の下に敷く事により、腰痛等の緩和に効果が期待出来る。
【実施例２】
【００１６】
図３は、図１と図２を組み立てた時の健康マット図で、使用方法は、上記掲載方法を組み合わせた方法で、同じ効果が期待出来る。
【図面の簡単な説明】
【００１７】
【図１】マット本体図。
【図２】腰サポートクッション本体図。
【図３】健康マット組立て図。
【符号の説明】
【００１８】
１    マット本体
２    マット後方凸部
３    マット前方凸部
４    両足大腿部乗せ凹部
５    腰サポートクッション取り付け凹部
６    腰サポートクッション本体
７    腰サポートクッション凸部
８    腰サポートクッション凸部移動溝
【図１】
2006167320.tif 000003
【図２】
2006167320.tif 000004
【図３】
2006167320.tif 000005
(57)【要約】【課題】  心拍数をアルゴリズムの波で目視可能とすることで、個人で健康のバロメーターを考えて健康管理し、自分に合わせた健康管理ができるようにする。  また、自分のアルゴリズムを作り易いリズムで選択して、良いリズムを１日１時間から２時間聞いて音波療法します。【解決手段】  心拍数をアルゴリズムの波で目視可能とする機器と自分のアルゴリズムを生活し易いリズムとして、イヤホーンで聞けるように一体化させて、家庭で手軽に使えるようにする。【選択図】  図１
2006167336.tif 000002
【特許請求の範囲】
【請求項１】
心拍数の波を目視可能とすることで、自分の特性を理解して、エネルギーの配分を考え易くする。というのは、心拍数はエネルギーの蓄積に関連しています。
また、音のアルゴリズムで生活し易いリズムを自分で理解して、個人で健康管理をします。
【発明の詳細な説明】
【技術分野】
【０００１】
本発明は、家庭用の医療機器の音波療法の心拍数及び音のアルゴリズムに関するものです。
【背景技術】
【０００２】
家庭用の医療機器の音波療法の心拍数及び音のアルゴリズムは、音のアルゴリズムにより個人で健康管理が容易にできる利点があります。
【０００３】
この改善策として、音波療法の心拍数及び音のアルゴリズムは音のアルゴリズムを３０分もの・１時間もの・２時間ものとして、生活に合わせたリズムとします。
【発明の開示】
【発明が解決しようとする課題】
【０００４】
解決しようとする問題点は、心拍数をアルゴリズムの波で目視可能とすることで、個人で健康のバロメーターを考えて健康管理し、自分に合わせた健康管理ができるようにする。
【０００５】
また、自分のアルゴリズムを自分で選択して、良いリズムを１日１時間から２時間聞いて、音波療法をする。
【課題を解決するための手段】
【０００６】
本発明は、心拍数のアルゴリズムの波を目視可能とする機器と音のアルゴリズムを作り易いリズムにして、イヤホーンで簡単に聞けるように一体化させて、家庭で手軽に使えるようにする。
【発明の効果】
【０００７】
本発明の家庭用医療機器の音波療法の心拍数及び音のアルゴリズムは、生活のリズム作りに効果があります。
【発明を実施するための最良の形態】
【０００８】
心拍数の波と音のアルゴリズムを簡単に自分で作れるようにする。
【実施例１】
【０００９】
図１は、本発明機器の１実施例の断面図であります。
【実施例２】
【００１０】
図２及び図３、図４は、本発明機器の２実施例の電気回路の設計図面であります。
【００１１】
【数１】
2006167336.tif 000003
体のエネルギーの配分及び異常周期の健康管理の実現。
データサンプルをn数１００で取り、データファイルを作成します。
この機器の効果の実験データの作り方は、１．心拍数の計測回数  ２．心拍数の目視による体調の具合  ３．心拍への音の安全性  ４、音の心拍への影響５．心拍数とエネルギーとの関係    で、正確なデータを取ります。
【産業上の利用可能性】
【００１２】
貸し出しにより、この機器の効果を見ることもできます。また、この機器の委託によりこの機器の効果を見ることもできます。これらにより、この機器の正確なデータが得られます。
【図面の簡単な説明】
【００１３】
【図１】音波療法の心拍数及び音のアルゴリズムの実施方法を示した説明図である。
【図２】音波療法の心拍数及び音のアルゴリズムの心拍数の波動の表示部分の電気回路の設計図面１である。
【図３】音波療法の心拍数及び音のアルゴリズムの心拍数の波動の表示部分の電気回路の設計図面２である。
【図４】心拍数のディジタル表示部分の電気回路の設計図面である。
【符号の説明】
【００１４】
１  音波療法の心拍数及び音のアルゴリズム
２  この機器の実施図
【図１】
2006167336.tif 000004
【図２】
2006167336.tif 000005
【図３】
2006167336.tif 000006
【図４】
2006167336.tif 000007
(57)【要約】      （修正有）【課題】従来のシャワーヘッドによるシャワー作業では、片方の手でシャワーを操作しながら、他の手で身体を擦り、また頭髪や頭皮を揉んで洗わなければならない。この作業は、安全性や利便性に課題がある。この課題を解決したシャワーヘッドを提供する。【解決手段】シャワーヘッド１の水または温水噴出部２に突起物３を設けたものであることを特徴とするシャワーヘッドで解決した。【選択図】図２
2006167398.tif 000002
【特許請求の範囲】
【請求項１】
水の噴出部に頭皮のマッサージと頭髪の梳洗い用突起物を複数設けた、シャワーヘッド。
【発明の詳細な説明】
【発明の所属する技術分野】
【０００１】  本発明は、身体や頭部を洗う時に使用するシャワーヘッドに関するものである。
【背景技術】
【００２】  従来のシャワーヘッドには、頭部を洗うための有効な突起物が無く、特に頭部を洗う時には、一方の手でシャワーを持ち、他方の手で頭皮を揉んで洗っている。高齢者や身障者では、両手を使う作業は、難しく身体が不安定で安全性も問題がある。
【特許文献１】    実案登録３１０１３６７
【特許文献２】    実案公開平７−３４７２
【特許文献３】    特許開    平２００３−１００６１
【発明の開示】
【発明が解決しようとする課題】
【０００３】これらの特許公開文献に記載されたものは、例えば
【特許文献１】実案登録３１０１３６７は主として洗髪時の汚れ落としの効率を目的とするもので当該発明に近いものであるが、このシャワーヘッドの構造では、頭皮を押さえて行うマッサージ効果は、頭皮を傷める危険がある。
【特許文献２】実案公開平７−３４７２は、シャワー水に洗剤を混合することを目的とするものであるが、シャワーヘッドが重くなり操作面に課題がある。  特許開  平２００３−１００６１は、シャワー水噴出面に突起を１ヶもうけたもので頭部洗髪時に突起１ヶをマッサージに使用することを目的としたものであるが突起を１ヶでは、頭皮を指で囲んで揉むようなマッサージをするには、効果は期待できない。
【０００４】本発明は、かかる従来の事情に対処するためになされたもので、本発明の機能は、片手でシャワー操作が可能となり、健常者のみに便利なものでなく、重要なことは、高齢者や身体障害者に特に利便性を提供できることである。
【課題を解決するための手段】
【００５】上記目的を達成するための本発明は、シャワーヘッド１の水噴出部２に突起物３を設けたものである。【００６】請求項１記載の発明である当該突起物は、手でシャワーブヘッドを軽く押し付けてマッサージをするため頭皮接触部は、ゴム製等の比較的柔らかいもので、例えば長さ３０ｍｍ、基底部の直径約６ｍｍ、先端部は、直径約３ｍｍで先端部に丸みを付けたものを適当数設けたものである。
この突起物の機能は、指の代りをして頭髪と頭皮を揉む役割をするもので頭髪と頭皮の汚れ落とし、さらに当該シャワーヘッドを持って頭皮を軽く叩くこともでき、このマッサージ効果で頭皮の汚れと血行促進が期待できるものである。
【発明を実施するための最良の形態】
【００７】以下に本発明に係る洗身シャワー装置の形態を図１に基づき説明する。（請求項１に対応）。
図１は、実施の形態に係る突起物付きシャワーヘッドの水や温水の噴出部の正面を示す図である。
図１において、請求項１の目的を達成するための本発明は、シャワーヘッド１の水や温水の噴出面２に突起物３を設けたものである。
図２は、シャワーヘッドの側面図である。【００８】本発明は、突起物をシャワーヘッドに設けたことによる頭髪と頭皮との洗浄効果の向上とさらに頭皮のマッサージ効果による血行促進効果が期待できるものである。【００９】本シャワーヘッドの使用は、頭髪を揉みながら洗髪し、頭皮もマッサージできることにあり、高齢者や身障者は、片手が空く事で身体を安定させることができる。
介護を必要とする場合には、介護者は、シャワーノズルを片手にもって被介護者にシャワー浴を施すことができ、片手が空くため安全で、かつ便利である。この方法では、シャワーが洗身者本人の肉体的負担を軽減すると共に介護者は同作業の労力を軽減し、シャワー作業時間が短縮されるので被介護者の負担も軽減する。
【発明の効果】
【００１０】以上の説明の通り、請求項１に記載の突起物付きシャワーヘッドは、健常者はもとより、高齢者や身体障害者等の入浴時における介護者及び被介護者の肉体的負担を軽減し、安全、円滑に、その目的を達成することを可能とした。
【図面の簡単な説明】
【００１１】
【図１】  本発明の突起物付きシャワーヘッドの正面図である。
【図２】  本発明の突起物付きシャワーヘッドの側面図である。
【符号の説明】
【００１２】上記課題を達成するための本発明は、シャワーヘッド１の水噴出部２に突起物３を設けたものである。
2006167398.tif 000003
【図１】
2006167398.tif 000004
【図２】
2006167398.tif 000005
(57)【要約】【課題】  靴をはいて足裏に汗をかき、熱気と湿気で足がムレ、臭気が充満し水虫にもなるため、足裏に汗をかかないように、歩くたびに中敷の両面に空気が流動する、ポンプ付き中敷きを提供する。【解決手段】  中敷は厚みのある合成ゴムで、両面にタテヨコの凹凸面と両面の通気を良くするための通気孔を凹面の中に設け、土踏まずの位置に好によって取り替えの出来る、ゴムポンプをはめ込み、歩くたびに体重でゴムポンプが作動し中敷の上下両面に空気が流動するよう構成した特徴の、ポンプ付き靴の中敷き。【選択図】  図１
2006167391.tif 000002
【特許請求の範囲】
【請求項１】
（イ）  靴の中敷本体の両面に凹凸の溝を設ける
（ロ）  その凹溝の中に通気孔を設ける
（ハ）  その通気孔、凹凸溝に空気を送り出すポンプを本体に設ける
以上の構成からなる、ポンプ付き靴の中敷。
【発明の詳細な説明】
【技術分野】
【０００１】本発明は、靴の中敷の足裏が、熱気と湿気による臭気の充満で、足のムレることを防ぐために、歩くたびに、ゴムポンプが作動して、靴の中敷の表裏に空気が流通し、汗をかかないように構成した、ポンプ付き靴の中敷である。
【背景技術】
【０００２】従来、靴の中敷は、保湿とクッション製による履き心地を優先するため、製品は薄くフイルト状スポンジ的なもので汗を吸収しやすい繊維的な肌触りの重視が多かった。そのため中敷きが汗で湿気を生み、熱気と混合し、悪臭が発生充満するため、水虫菌の発生原因でもあって、長時間靴を履く人や運動をする人には逆効果であった。ゴム系の薄い中敷は通気性を考えた穴があるが裏面が平面状のため通気性はなく、靴下の湿気の防止が出来ず、人前で臭いのする足を出せる状態でなかった。
【発明の開示】
【発明が解決しようとする課題】
【０００３】  そのために、次のような問題点があった。
中敷は、汗を吸収しても熱気と臭気の発生を生むために、足汗の防止にならずに、足のムレ、悪臭、水虫の防止効果は低かった。
本発明は以上の問題点を解決しようとするものである。
【課題を解決するための手段】
【０００４】中敷の表裏にタテとヨコに、無数の凹凸溝と、丸い通気孔を設け、足と中敷と靴が密着した状態でも、歩くたびに足裏に空気か流動するよう、本体の表面中央近くに、耐久性のあるゴムポンプを設けた、ポンプ付き中敷である。
【発明の効果】
【０００５】本発明は無数の溝孔にゴムポンプが空気を流動するため、熱気、湿気、臭気が外部に押し出されるため足汗による、ムレの心配、悪臭、水虫の心配がない。
溝孔とゴムポンプからなる構成が、ポンプ付き中敷の特徴である。
【発明を実施するための最良の形態】
【０００６】    以下本発明の実施例について説明すれば
（イ）耐久性と弾力のある合成ゴム素材で、精密な成型製法で、次のような構造からなる。
（ロ）中敷の表裏にタテヨコ凹溝（３）と、ヨコ凸起面（４）を設け、さらに
（ハ）空気が流通する空気孔（２）も数多く設ける。
（ニ）裏面にも凹溝タテヨコ（８）と裏面凸起タテ（９）を設ける。
（ホ）それら（２）（３）（４）（８）（９）による通気性を考えた構成の溝孔に、空気が起動的に押し込み流される構造のゴムポンプ（５）を、中央近くの内側の土踏まずの位置に組み込んで、一体に構成したもの。
（ヘ）ゴムポンプ（５）は高さの高低を好みに合わせられるよう、三種類を付属セットする。
（ト）使用するときには、靴のサイズに合わせる付属の型紙で、靴型を取り、ゴムの良く切れるハサミ又は、カッター刃物で切り合わせて靴の中に入れる。
本発明は以上の構成と使用法のポンプ付き中敷。
【図面の簡単な説明】
【０００７】
【図１】  本発明の平面図
【図２】  本発明の裏面の平面図
【図３】  本発明の側面の断面図
【図４】  本発明の断面の一部拡大図
【符号の説明】
【０００８】  １−Ａ  ポンプ付き中敷（右、左）    １−Ｂ  ポンプ付き中敷の裏面（右）
２      通気孔
３      タテ、ヨコ凹溝
４      ヨコ凸起面
５      ゴムポンプ
６      表面凸起粒
７      ポンプ室
８      裏面の凹溝タテ、ヨコ
９      裏面の凸起タテ
１０    通風孔
【図１】
2006167391.tif 000003
【図２】
2006167391.tif 000004
【図３】
2006167391.tif 000005
【図４】
2006167391.tif 000006
(57)【要約】【課題】    通常の生活空間に於ける、精妙な重力場の測定や、人体から発する外気功を捕捉したり、眼から照射されるまなざしを検知する検知装置は研究、開発途上にある。本発明は、生命ある身体から照射されている外気功に反応し、又、眼や手の指先より照射されたものに反応しそれを、捕捉し、数値化して出力することが出来る。又、重力場の強弱や揺らぎを捕捉し、数値化して出力できるようにした検知装置である。【解決手段】  新たに、設計開発した電子回路で、水晶を入力アンテナとし、重力場の強弱や揺らぎを、又、外気功を、波動として入力し増幅、２個の可変抵抗器で同調させ、出力値を直流電圧の変動としてデジタル表示させる。【選択図】    図１
2006167394.tif 000002
【特許請求の範囲】
【請求項１】
電子回路で、Ｉ．Ｃ．の特性外領域を利用した増幅回路を、有している事。
水晶を、入力回路の中に有している事。
２個の可変抵抗器を調整して、同調させる回路を、有している事。
出力を、直流電圧で表示している事。
【請求項２】
請求項１の特徴を持つが、水晶に替えて、他の自然鉱石を、入力回路の中に有している事。
【発明の詳細な説明】
【技術分野】
【０００１】  本発明は生命ある身体から照射されている外気功、特に眼や手の指先から照射されたものを、デジタル数値として視覚的に観察でき、又、重力場の強弱、揺らぎの状況を、デジタル数値として観察することのできる測定、検知装置に関する。
【発明の開示】
【発明が解決しようとする課題】
【０００２】  外気功の照射や、重力場の強弱と揺らぎは、視覚的に捉えられなかったが、デジタル数値として視覚的に観察する事を可能せしめた。
【課題を解決する為の手段】
【０００３】  新たに開発した電子回路で、外気功と重力場に同調させ、又、増幅させた出力を直流電圧の変動としてデジタル表示させる。
【発明の効果】
【０００４】  一般的な電子回路の特性領域外となる様に新たに組み立てた増幅回路と、２個の可変抵抗器を使った同調部、又、水晶とが相乗効果を生み、外気功と重力場に反応し同調させる事を可能にした。
【発明を実施する為の最良の形態】
【０００５】  以下、本発明の実施の形態を図面に基ずき、詳細に説明する。
【０００６】  図１、図２は本発明の第一の実施の形態に係り、図１はその概観斜視図、図２は電気回路図である。
【産業上の利用可能性】
【０００７】  本発明は重力場との同調、外気功との同調を可能にしたもので今後の代替医療科学、精妙なレベルの重力場エネルギー工学、又ロボット工学技術に利用されうる。
【図面の簡単な説明】
【０００８】
【図１】  本発明の実施の形態に係る重力場と外気功の検知装置の概観斜視図である。
【図２】  図１の重力場と外気功の検知装置の電気回路図である。
【符号の説明】
【０００９】  １、２                  可変抵抗器
３                      水晶
４                      電源スイッチ
５                      直流電圧を表示するデジタル式テスター
６                      電源電池
７                      電源ケーブル
８                      テスターへの出力ケーブル
【図１】
2006167394.tif 000003
【図２】
2006167394.tif 000004